(57)【特許請求の範囲】
【請求項１】
コンテンツとメタ情報とが、異なるサーバで独立に管理されるネットワークに設置され、前記メタ情報を管理するレジストリサーバ宛てのデータを当該レジストリサーバへ中継し、前記レジストリサーバから送信されたデータを当該データの宛先へ中継するデータ中継装置であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手段と、
前記メタ情報抽出手段によって抽出されたメタ情報を、当該メタ情報に含まれる情報であって、コンテンツの所在が一意に定まる所在情報に関連付けてメタ情報記憶手段に登録するメタ情報登録手段と、
外部から、前記所在情報を指定したメタ情報取得要求を受信した場合に、当該所在情報に関連付けられたメタ情報を前記メタ情報記憶手段から検索し、検索の結果取得したメタ情報を要求元に送信するメタ情報送信手段と、
を備えたことを特徴とするデータ中継装置。
【請求項２】
コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置であって、
任意のクライアント端末から前記リポジトリサーバ宛てに送信されたコンテンツ取得要求を受信した場合に、当該コンテンツ取得要求からコンテンツの所在が一意に定まる所在情報を抽出する所在情報抽出手段と、
前記所在情報抽出手段によって抽出された所在情報を用いて、前記メタ情報を管理するレジストリサーバと連携するデータ中継装置にメタ情報取得要求を送信し、メタ情報を取得するメタ情報取得手段と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手段によって取得されたメタ情報を付与して前記クライアント端末に中継するコンテンツ送信手段と、
を備えたことを特徴とするデータ中継装置。
【請求項３】
コンテンツとメタ情報とが、異なるサーバで独立に管理されるネットワークに設置され、前記メタ情報を管理するレジストリサーバ宛てのデータを当該レジストリサーバへ中継し、前記レジストリサーバから送信されたデータを当該データの宛先へ中継するデータ中継装置であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手段と、
前記メタ情報抽出手段によって抽出されたメタ情報を、当該メタ情報に含まれる情報であって、コンテンツの所在が一意に定まる所在情報で決定される宛先に送信するメタ情報送信手段と、
を備えたことを特徴とするデータ中継装置。
【請求項４】
コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置であって、
前記メタ情報を管理するレジストリサーバと連携するデータ中継装置からメタ情報を受信した場合に、当該メタ情報を、当該メタ情報に含まれ、コンテンツの所在が一意に定まる所在情報に関連付けてメタ情報記憶手段に登録するメタ情報登録手段と、
任意のクライアント端末から前記リポジトリサーバ宛てに送信されたコンテンツ取得要求を受信した場合に、当該コンテンツ取得要求から前記所在情報を抽出する所在情報抽出手段と、
前記所在情報抽出手段によって抽出された所在情報に関連付けられたメタ情報を前記メタ情報記憶手段から取得するメタ情報取得手段と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手段によって取得されたメタ情報を付与して前記クライアント端末に中継するコンテンツ中継手段と、
を備えたことを特徴とするデータ中継装置。
【請求項５】
コンテンツとメタ情報とが、異なるサーバで独立に管理されるネットワークに設置され、前記メタ情報を管理するレジストリサーバ、前記コンテンツを保持するリポジトリサーバおよび各サーバにアクセスする任意のクライアント端末から送信されるデータを当該データの宛先に中継するデータ中継装置であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手段と、
前記メタ情報抽出手段によって抽出されたメタ情報を、当該メタ情報に含まれる情報であって、コンテンツの所在が一意に定まる所在情報に関連付けてメタ情報記憶手段に登録するメタ情報登録手段と、
前記リポジトリサーバ宛てに送信されたコンテンツ取得要求を受信した場合に、当該コンテンツ取得要求から前記所在情報を抽出する所在情報抽出手段と、
前記所在情報抽出手段によって抽出された所在情報に関連付けられたメタ情報を前記メタ情報記憶手段から取得するメタ情報取得手段と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手段によって取得されたメタ情報を付与して前記クライアント端末に中継するコンテンツ送信手段と、
を備えたことを特徴とするデータ中継装置。
【請求項６】
コンテンツとメタ情報とが、異なるサーバで独立に管理されるネットワークにおいて、前記メタ情報を管理するレジストリサーバとクライアント端末間のデータ中継を行う際のデータ中継方法であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出工程と、
前記メタ情報抽出工程によって抽出されたメタ情報を、当該メタ情報に含まれる情報であって、コンテンツの所在が一意に定まる所在情報に関連付けてメタ情報記憶手段に登録するメタ情報登録工程と、
外部から、前記所在情報を指定したメタ情報取得要求を受信した場合に、当該所在情報に関連付けられたメタ情報を所定の記憶部から検索し、検索の結果取得したメタ情報を要求元に送信するメタ情報送信工程と、
を含んだことを特徴とするデータ中継方法。
【請求項７】
コンテンツとメタ情報とが、異なるサーバで独立に管理されるネットワークにおいて、前記コンテンツを保持するリポジトリサーバとクライアント端末間のデータ中継を行う際のデータ中継方法であって、
任意のクライアント端末から前記リポジトリサーバ宛てに送信されたコンテンツ取得要求を受信した場合に、当該コンテンツ取得要求からコンテンツの所在が一意に定まる所在情報を抽出する所在情報抽出工程と、
前記所在情報抽出工程によって抽出された所在情報を用いて、前記メタ情報を管理するレジストリサーバと連携するデータ中継装置にメタ情報取得要求を送信し、メタ情報を取得するメタ情報取得工程と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得工程によって取得されたメタ情報を付与して前記クライアント端末に中継するコンテンツ送信工程と、
を含んだことを特徴とするデータ中継方法。
【請求項８】
コンテンツとメタ情報とが、異なるサーバで独立に管理されるネットワークにおいて、前記メタ情報を管理するレジストリサーバ、前記コンテンツを保持するリポジトリサーバおよび各サーバにアクセスする任意のクライアント端末間のデータ中継を行う際のデータ中継方法であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出工程と、
前記メタ情報抽出工程によって抽出されたメタ情報を、当該メタ情報に含まれる情報であって、コンテンツの所在が一意に定まる所在情報に関連付けてメタ情報記憶手段に登録するメタ情報登録工程と、
前記リポジトリサーバ宛てに送信されたコンテンツ取得要求を受信した場合に、当該コンテンツ取得要求から前記所在情報を抽出する所在情報抽出工程と、
前記所在情報抽出工程によって抽出された所在情報に関連付けられたメタ情報を前記メタ情報記憶手段から取得するメタ情報取得工程と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得工程によって取得されたメタ情報を付与して前記クライアント端末に中継するコンテンツ送信工程と、
を含んだことを特徴とするデータ中継方法。
【請求項９】
コンテンツとメタ情報とが、異なるサーバで独立に管理されるネットワークに設置され、前記メタ情報を管理するレジストリサーバ宛てのデータを当該レジストリサーバへ中継し、前記レジストリサーバから送信されたデータを当該データの宛先へ中継するデータ中継装置としてのコンピュータに実行させるデータ中継処理プログラムであって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手順と、
前記メタ情報抽出手順によって抽出されたメタ情報を、当該メタ情報に含まれる情報であって、コンテンツの所在が一意に定まる所在情報に関連付けてメタ情報記憶手段に登録するメタ情報登録手順と、
外部から、前記所在情報を指定したメタ情報取得要求を受信した場合に、当該所在情報に関連付けられたメタ情報を前記メタ情報記憶手段から検索し、検索の結果取得したメタ情報を要求元に送信するメタ情報送信手順と、
をコンピュータに実行させることを特徴とするデータ中継処理プログラム。
【請求項１０】
コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置としてのコンピュータに実行させるデータ中継処理プログラムであって、
任意のクライアント端末から前記リポジトリサーバ宛てに送信されたコンテンツ取得要求を受信した場合に、当該コンテンツ取得要求からコンテンツの所在が一意に定まる所在情報を抽出する所在情報抽出手順と、
前記所在情報抽出手順によって抽出された所在情報を用いて、前記メタ情報を管理するレジストリサーバと連携するデータ中継装置にメタ情報取得要求を送信し、メタ情報を取得するメタ情報取得手順と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手順によって取得されたメタ情報を付与して前記クライアント端末に中継するコンテンツ送信手順と、
をコンピュータに実行させることを特徴とするデータ中継処理プログラム。
【発明の詳細な説明】
【技術分野】
【０００１】
この発明は、メタ情報と、コンテンツとが独立して管理されるネットワークに設置するデータ中継装置、当該データ中継装置におけるデータ中継方法および当該データ中継装置としてのコンピュータに実行させるデータ中継処理プログラムに関する。
【背景技術】
【０００２】
従来、ネットワーク上では、文書データ、映像データ、音楽データ等のコンテンツの送受信が行われている。
【０００３】
コンテンツのなかでも重要度の高いものについては、流通状況の管理が強く求められることがある。その場合、例えば、図１５に示すように、サーバ側およびクライアント側のコンピュータ７０１やネットワーク内のデータ中継装置７０２にログ機能を設ける。
【０００４】
そして、流通状況管理装置７０３は、各コンピュータ７０１で記録されたアプリケーションに関するログと、データ中継装置７０２で記録されたネットワークレイヤのログ（送信元、宛先、アクセス時刻など）とを収集して統合管理する。こうすることで、コンテンツの流通状況を管理することができる。
【０００５】
また、例えば、図１６に示すように、コンテンツサーバ７０４からクライアント端末７０５にコンテンツが送信される場合に、当該コンテンツを中継するデータ中継装置７０６は、コンテンツに付与されているメタ情報を抽出し、当該メタ情報をネットワークレイヤのログと関連付けて記憶する。
【０００６】
そして、流通状況管理装置７０３は、各データ中継装置７０６に記憶された情報を収集して管理する。こうすることで、コンテンツの流通状況を管理することができる。
【０００７】
ところで、図１５で示した通信記録の管理が円滑に行われるには、サーバ側およびクライアント側のコンピュータ７０１が適切に運用・管理され、各コンピュータにおいて確実にログが記録されることが前提とされる。
【０００８】
このため、各コンピュータを適切に運用・管理するシステム管理者あるいはＩＴスキルを持つ利用者が必要不可欠である。
【０００９】
しかしながら、小さな診療所や事業所等では、十分なＩＴスキルを持った従事者が少なく、コンピュータが必ずしも適切に運用・管理されていないケースが多い。
【００１０】
このようなケースでは、コンピュータウィルス感染やコンピュータの不具合などの影響で、各コンピュータにおいて確実に通信記録を採ることができない場合があり、厳格な通信記録が求められる分野においては通信記録の信頼性が低くなるという問題がある。
【００１１】
また、コンピュータでログを収集する場合、ログの改竄が容易なため、エンドユーザによって通信記録が改竄される危険性がある。
【００１２】
さらに、ログ機能を持たないコンピュータによる通信記録については管理することができないという問題がある。
【００１３】
したがって、通信記録の管理を行うにあたり、図１５で示した手法よりは、図１６で示したメタ情報を利用する手法のほうが望ましい。
【００１４】
また、一般的に、コンテンツにはメタ情報が付与されており、当該メタ情報を利用するシステムも多い（例えば特許文献１）。よって、このようなシステムに対し、同手法による通信記録の管理の導入も容易であると考えられる。
【００１５】
【特許文献１】特開２００５−１４１５０７号公報
【発明の開示】
【発明が解決しようとする課題】
【００１６】
近年、重要度の高いコンテンツである診療情報（患者の電子カルテや医療画像）を扱う医療機関において、ＸＤＳ（Cross-enterprise  Document  Sharing）が計画されている。
【００１７】
ＸＤＳとは、診療情報をメタ情報とともにサーバに保管せず、診療情報とメタ情報とを別のサーバで独立して保管し、患者の診療情報を継続して利用できるようにするものである。
【００１８】
図１７を用いて具体的に説明すると、まず、ある患者の診療情報が医療機関「Ｂ」で作成されたとする。
【００１９】
すると、当該医療機関「Ｂ」におけるリポジトリサーバ７０７に当該診療情報が保管され、レジストリ機関におけるレジストリサーバ７０８に当該診療情報のメタ情報が保管される。
【００２０】
その後、同患者が医療機関「Ａ」で診療を受けた場合には、医療機関「Ａ」におけるクライアント端末７０９は、レジストリサーバ７０８に対し、当該患者に関する診療情報の検索を要求する。
【００２１】
要求を受けたレジストリサーバ７０８は、患者のＩＤなどにより、保管しているメタ情報の中から該当するメタ情報を検索する。
【００２２】
検索の結果、レジストリサーバ７０８は、メタ情報に含まれる診療情報の所在を示す情報（ＵＲＩ（Uniform  Resource  Identifier）など）をクライアント端末７０９に送信する。
【００２３】
所在を示す情報を受け取ったクライアント端末７０９は、当該情報が示す医療機関「Ｂ」におけるリポジトリサーバ７０７から目的の診療情報を取得する。
【００２４】
こうすることで、患者が以前と異なる医療機関で診療を受けた場合であっても、新規に診療情報の作成を行う必要がなく、患者の診療情報を継続して利用できるシステムが提供されている。
【００２５】
上記した診療情報には、個人情報はもちろん、他人には知られたくない情報が含まれているため、ＸＤＳを実現する際には、診療情報の流通状況の管理を厳格に行うことが強く求められる。
【００２６】
つまり、いつ、誰が、どこからどこへ、どんな情報を利用したかなどを確実に管理しておき、診療情報の不正な持ち出しなどに対して取り締まりを行うことが望ましい。
【００２７】
レジストリサーバ７０８で保管されるメタ情報には、ファイル名、患者の名前、年齢などが含まれるので、リポジトリサーバ７０７から診療情報が取得される際、当該診療情報を中継するデータ中継装置に、診療情報のメタ情報と、ネットワークレイヤのログとを記憶させることが望ましい。そうすれば、いつ、誰が、どこからどこへ、どんな情報を利用したかなどを確実に管理できる。
【００２８】
しかしながら、ＸＤＳでは、メタ情報と、診療情報とが独立に保管されており、リポジトリサーバ７０７がクライアント端末７０９に送信するのは診療情報のみであるので、図１６で示したようなメタ情報を利用した流通状況の管理を行うことは困難である。
【００２９】
このように、ＸＤＳに代表される、メタ情報と、コンテンツとが独立して管理される環境では、コンテンツの流通状況の管理を厳格に行うことは困難であるという課題があった。
【００３０】
そこで、この発明は、上述した従来技術の課題を解決するためになされたものであり、コンテンツの流通状況の管理を厳格に行うことが可能なデータ中継装置、当該データ中継装置におけるデータ中継方法および当該データ中継装置としてのコンピュータに実行させるデータ中継処理プログラムを提供することを目的とする。
【課題を解決するための手段】
【００３１】
上述した課題を解決し、目的を達成するため、この装置は、コンテンツとメタ情報とが、異なるサーバで独立に管理されるネットワークに設置され、前記メタ情報を管理するレジストリサーバ宛てのデータを当該レジストリサーバへ中継し、前記レジストリサーバから送信されたデータを当該データの宛先へ中継するデータ中継装置であって、任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手段と、前記メタ情報抽出手段によって抽出されたメタ情報を、当該メタ情報に含まれる情報であって、コンテンツの所在が一意に定まる所在情報に関連付けてメタ情報記憶手段に登録するメタ情報登録手段と、外部から、前記所在情報を指定したメタ情報取得要求を受信した場合に、当該所在情報に関連付けられたメタ情報を前記メタ情報記憶手段から検索し、検索の結果取得したメタ情報を要求元に送信するメタ情報送信手段と、を備えたことを特徴とする。
【００３２】
また、この装置は、コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置であって、任意のクライアント端末から前記リポジトリサーバ宛てに送信されたコンテンツ取得要求を受信した場合に、当該コンテンツ取得要求からコンテンツの所在が一意に定まる所在情報を抽出する所在情報抽出手段と、前記所在情報抽出手段によって抽出された所在情報を用いて、前記メタ情報を管理するレジストリサーバと連携するデータ中継装置にメタ情報取得要求を送信し、メタ情報を取得するメタ情報取得手段と、前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手段によって取得されたメタ情報を付与して前記クライアント端末に中継するコンテンツ送信手段と、を備えたことを特徴とする。
【００３３】
また、この装置は、コンテンツとメタ情報とが、異なるサーバで独立に管理されるネットワークに設置され、前記メタ情報を管理するレジストリサーバ宛てのデータを当該レジストリサーバへ中継し、前記レジストリサーバから送信されたデータを当該データの宛先へ中継するデータ中継装置であって、任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手段と、前記メタ情報抽出手段によって抽出されたメタ情報を、当該メタ情報に含まれる情報であって、コンテンツの所在が一意に定まる所在情報で決定される宛先に送信するメタ情報送信手段と、を備えたことを特徴とする。
【００３４】
また、この装置は、コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置であって、前記メタ情報を管理するレジストリサーバと連携するデータ中継装置からメタ情報を受信した場合に、当該メタ情報を、当該メタ情報に含まれ、コンテンツの所在が一意に定まる所在情報に関連付けてメタ情報記憶手段に登録するメタ情報登録手段と、任意のクライアント端末から前記リポジトリサーバ宛てに送信されたコンテンツ取得要求を受信した場合に、当該コンテンツ取得要求から前記所在情報を抽出する所在情報抽出手段と、前記所在情報抽出手段によって抽出された所在情報に関連付けられたメタ情報を前記メタ情報記憶手段から取得するメタ情報取得手段と、前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手段によって取得されたメタ情報を付与して前記クライアント端末に中継するコンテンツ中継手段と、を備えたことを特徴とする。
【００３５】
また、この装置は、コンテンツとメタ情報とが、異なるサーバで独立に管理されるネットワークに設置され、前記メタ情報を管理するレジストリサーバ、前記コンテンツを保持するリポジトリサーバおよび各サーバにアクセスする任意のクライアント端末から送信されるデータを当該データの宛先に中継するデータ中継装置であって、任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手段と、前記メタ情報抽出手段によって抽出されたメタ情報を、当該メタ情報に含まれる情報であって、コンテンツの所在が一意に定まる所在情報に関連付けてメタ情報記憶手段に登録するメタ情報登録手段と、前記リポジトリサーバ宛てに送信されたコンテンツ取得要求を受信した場合に、当該コンテンツ取得要求から前記所在情報を抽出する所在情報抽出手段と、前記所在情報抽出手段によって抽出された所在情報に関連付けられたメタ情報を前記メタ情報記憶手段から取得するメタ情報取得手段と、前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手段によって取得されたメタ情報を付与して前記クライアント端末に中継するコンテンツ送信手段と、を備えたことを特徴とする。
【００３６】
また、この方法は、コンテンツとメタ情報とが、異なるサーバで独立に管理されるネットワークにおいて、前記メタ情報を管理するレジストリサーバとクライアント端末間のデータ中継を行う際のデータ中継方法であって、任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出工程と、前記メタ情報抽出工程によって抽出されたメタ情報を、当該メタ情報に含まれる情報であって、コンテンツの所在が一意に定まる所在情報に関連付けてメタ情報記憶手段に登録するメタ情報登録工程と、外部から、前記所在情報を指定したメタ情報取得要求を受信した場合に、当該所在情報に関連付けられたメタ情報を所定の記憶部から検索し、検索の結果取得したメタ情報を要求元に送信するメタ情報送信工程と、を含んだことを特徴とする。
【００３７】
また、この方法は、コンテンツとメタ情報とが、異なるサーバで独立に管理されるネットワークにおいて、前記コンテンツを保持するリポジトリサーバとクライアント端末間のデータ中継を行う際のデータ中継方法であって、任意のクライアント端末から前記リポジトリサーバ宛てに送信されたコンテンツ取得要求を受信した場合に、当該コンテンツ取得要求からコンテンツの所在が一意に定まる所在情報を抽出する所在情報抽出工程と、前記所在情報抽出工程によって抽出された所在情報を用いて、前記メタ情報を管理するレジストリサーバと連携するデータ中継装置にメタ情報取得要求を送信し、メタ情報を取得するメタ情報取得工程と、前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得工程によって取得されたメタ情報を付与して前記クライアント端末に中継するコンテンツ送信工程と、を含んだことを特徴とする。
【００３８】
また、この方法は、コンテンツとメタ情報とが、異なるサーバで独立に管理されるネットワークにおいて、前記メタ情報を管理するレジストリサーバ、前記コンテンツを保持するリポジトリサーバおよび各サーバにアクセスする任意のクライアント端末間のデータ中継を行う際のデータ中継方法であって、任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出工程と、前記メタ情報抽出工程によって抽出されたメタ情報を、当該メタ情報に含まれる情報であって、コンテンツの所在が一意に定まる所在情報に関連付けてメタ情報記憶手段に登録するメタ情報登録工程と、前記リポジトリサーバ宛てに送信されたコンテンツ取得要求を受信した場合に、当該コンテンツ取得要求から前記所在情報を抽出する所在情報抽出工程と、前記所在情報抽出工程によって抽出された所在情報に関連付けられたメタ情報を前記メタ情報記憶手段から取得するメタ情報取得工程と、前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得工程によって取得されたメタ情報を付与して前記クライアント端末に中継するコンテンツ送信工程と、を含んだことを特徴とする。
【００３９】
また、このプログラムは、コンテンツとメタ情報とが、異なるサーバで独立に管理されるネットワークに設置され、前記メタ情報を管理するレジストリサーバ宛てのデータを当該レジストリサーバへ中継し、前記レジストリサーバから送信されたデータを当該データの宛先へ中継するデータ中継装置としてのコンピュータに実行させるデータ中継処理プログラムであって、任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手順と、前記メタ情報抽出手順によって抽出されたメタ情報を、当該メタ情報に含まれる情報であって、コンテンツの所在が一意に定まる所在情報に関連付けてメタ情報記憶手段に登録するメタ情報登録手順と、外部から、前記所在情報を指定したメタ情報取得要求を受信した場合に、当該所在情報に関連付けられたメタ情報を前記メタ情報記憶手段から検索し、検索の結果取得したメタ情報を要求元に送信するメタ情報送信手順と、をコンピュータに実行させることを特徴とする。
【００４０】
また、このプログラムは、コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置としてのコンピュータに実行させるデータ中継処理プログラムであって、任意のクライアント端末から前記リポジトリサーバ宛てに送信されたコンテンツ取得要求を受信した場合に、当該コンテンツ取得要求からコンテンツの所在が一意に定まる所在情報を抽出する所在情報抽出手順と、前記所在情報抽出手順によって抽出された所在情報を用いて、前記メタ情報を管理するレジストリサーバと連携するデータ中継装置にメタ情報取得要求を送信し、メタ情報を取得するメタ情報取得手順と、前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手順によって取得されたメタ情報を付与して前記クライアント端末に中継するコンテンツ送信手順と、をコンピュータに実行させることを特徴とする。
【発明の効果】
【００４１】
開示の装置は、まず、コンテンツ検索結果からメタ情報を抽出して、当該メタ情報に含まれるユニークな識別子に関連付けて保持しておく。その後、クライアント端末にコンテンツを中継する場合には、当該コンテンツのメタ情報を付与した上で中継を行う。したがって、この装置によってコンテンツの中継が行われた場合に、メタ情報と、当該中継にかかる通信情報とを記録しておけば、コンテンツの流通状況の管理を厳格に行えるという効果を奏する。
【発明を実施するための最良の形態】
【００４２】
以下に添付図面を参照して、本発明に係るデータ中継装置、データ中継方法およびデータ中継処理プログラムの好適な実施例について詳細に説明する。
【実施例１】
【００４３】
まず、図１を用いて実施例１に係るデータ中継装置が設置される医療ネットワークの概要を説明する。同図に示すように、医療機関１０Ａ１〜１０Ａｎやレジストリ機関２０の各機関にはコンピュータネットワーク（ＬＡＮやＷＡＮ）が構築されており、各機関同士もネットワーク３０（公衆電話網やインターネット）を介して通信可能に接続される。また、このような医療ネットワークでは、以下に説明するＸＤＳが実現されている。
【００４４】
すなわち、レジストリ機関２０にはレジストリサーバ４０が設置され、当該レジストリサーバ４０は、コンテンツ（電子カルテや医療画像）に関するメタ情報を保持し、医療機関１０Ａ１〜１０Ａｎからのコンテンツ検索要求（Ｒｅｑ１）に応じてメタ情報を含むコンテンツ検索結果を返信する（Ｒｅｓ１）。
【００４５】
各医療機関１０Ａ１〜１０Ａｎにはクライアント端末５０およびリポジトリサーバ６０が設置される。
【００４６】
例えば、医療機関１０Ａ１のクライアント端末５０は、ユーザの操作によりレジストリサーバ４０にコンテンツ検索要求を送信する（Ｒｅｑ１）。
【００４７】
レジストリサーバ４０からはコンテンツ検索結果が返ってくるので、ユーザは、当該コンテンツ検索結果に応じていずれの医療機関にコンテンツを取得しに行くかを決定する。
【００４８】
そして、クライアント端末５０は、ユーザの操作により医療機関１０Ａ２のリポジトリサーバ６０にコンテンツ取得要求を送信する（Ｒｅｑ２）。
【００４９】
リポジトリサーバ６０は、コンテンツを保持しており、クライアント端末５０からのコンテンツ取得要求（Ｒｅｑ２）に応じて該当するコンテンツを当該クライアント端末５０に送信する（Ｒｅｓ２）。
【００５０】
このような医療ネットワークにおいて、レジストリサーバ４０の前段（レジストリサーバ４０とクライアント端末５０とで送受信されるデータを中継する位置）に設置されるデータ中継装置１００、リポジトリサーバ６０の前段（リポジトリサーバ６０と他の医療機関のクライアント端末５０とで送受信されるデータを中継する位置）に設置されるデータ中継装置２００が実施例１に係るデータ中継装置である。
【００５１】
次に、図２を用いてデータ中継装置１００の概要構成を説明する。同図に示すように、データ中継装置１００は、データ送受信部１１０〜１２０と、メタ情報抽出部１３０と、メタ情報記憶部１４０と、メタ情報通知部１５０と、を備える。
【００５２】
データ送受信部１１０は、医療機関１０Ａ１〜１０Ａｎ側に対するデータの送受信処理を行う。データ送受信部１２０は、レジストリサーバ４０に対するデータの送受信処理を行う。なお、データ送受信部１１０は、受信メッセージ種別を判定し、判定結果により出力先を決定する。
【００５３】
メタ情報抽出部１３０は、レジストリサーバ４０からクライアント端末５０宛てに送信されたコンテンツ検索結果からメタ情報を抽出し、当該メタ情報を、コンテンツの所在が一意に定まる所在情報に関連付けてメタ情報記憶部１４０に登録する。
【００５４】
具体的には、メタ情報抽出部１３０は、データ送受信部１２０から、レジストリサーバ４０が送信したコンテンツ検索結果を受け取る。
【００５５】
当該コンテンツ検索結果は、パケットとして送信されており、メタ情報抽出部１３０は、データ送受信部１２０から受け取る当該パケットをスヌープしてメタ情報を抽出する。
【００５６】
図３は、コンテンツ検索結果の情報の一例を示す図であるが、同図に示すように、メタ情報抽出部１３０は、「Ｆｉｌｅ  Ｎａｍｅ」や「Ｋａｒｔｅ＿Ｔａｒｏ  Ｆｕｊｉ」などのメタ情報を抽出する。
【００５７】
そして、メタ情報抽出部１３０は、メタ情報に含まれるユニークな識別子であるＵＲＩ（Uniform  Resource  Identifier）情報をエントリキーとして、当該ＵＲＩ情報にメタ情報を関連付けてメタ情報記憶部１４０に登録する。
【００５８】
登録を行った後、メタ情報抽出部１３０は、コンテンツ検索結果をデータ送受信部１１０に出力する。
【００５９】
メタ情報記憶部１４０は、メタ情報の登録を受け付けて記憶する。具体的には、図４に示すように、メタ情報記憶部１４０は、メタ情報（<FileName>Karte_Taro  Fuji</FileName>など）にＵＲＩ情報（http://site-b.com/data/XXX.pdf）を関連付けて記憶する。
【００６０】
メタ情報通知部１５０は、外部からＵＲＩ情報を受信した場合に、当該ＵＲＩ情報に関連付けられたメタ情報をメタ情報記憶部１４０から検索し、当該メタ情報をＵＲＩ情報の送信元に送信する。
【００６１】
具体的には、メタ情報通知部１５０は、データ送受信部１１０から、データ中継装置２００が送信したＵＲＩ情報を受け取る。
【００６２】
そして、メタ情報通知部１５０は、当該ＵＲＩ情報を検索キーとしてメタ情報記憶部１４０を検索し、当該ＵＲＩ情報に関連付けられたメタ情報を取得する。そして、メタ情報通知部１５０は、宛先についてはデータ中継装置２００として、取得したメタ情報をデータ送受信部１１０に出力する。
【００６３】
次に、図５を用いてデータ中継装置２００の概要構成を説明する。同図に示すように、データ中継装置２００は、データ送受信部２１０〜２２０と、ＵＲＩ抽出部２３０と、メタ情報取得部２４０と、メタ情報付与部２５０と、を備える。
【００６４】
データ送受信部２１０は、他の医療機関やレジストリ機関２０側に対するデータの送受信処理を行う。データ送受信部２２０は、リポジトリサーバ６０に対するデータの送受信処理を行う。なお、データ送受信部２１０は、受信メッセージ種別を判定し、判定結果により出力先を決定する。
【００６５】
ＵＲＩ抽出部２３０は、クライアント端末５０からリポジトリサーバ６０宛てに送信されたコンテンツ取得要求を受信した場合に、当該コンテンツ取得要求からＵＲＩ情報を抽出する。
【００６６】
具体的には、ＵＲＩ抽出部２３０は、データ送受信部２１０からコンテンツ取得要求を受け取ると、当該コンテンツ取得要求に含まれるＵＲＩ情報を抽出し、ＵＲＩ情報およびコンテンツ取得要求をメタ情報取得部２４０に出力する。
【００６７】
メタ情報取得部２４０は、ＵＲＩ抽出部２３０によって抽出されたＵＲＩ情報を所定の通信装置に送信してメタ情報を取得する。
【００６８】
具体的には、メタ情報取得部２４０は、ＵＲＩ抽出部２３０からＵＲＩ情報およびコンテンツ取得要求を受け取ると、データ中継装置１００を宛先としたＵＲＩ情報をデータ送受信部２１０に出力する。
【００６９】
その後、メタ情報取得部２４０は、データ送受信部２１０からメタ情報を受け取ると、当該メタ情報についてはメタ情報付与部２５０に出力し、コンテンツ取得要求についてはデータ送受信部２２０に出力する。
【００７０】
メタ情報付与部２５０は、リポジトリサーバ６０からクライアント端末５０宛てに送信されたコンテンツを受信した場合に、当該コンテンツに対し、メタ情報取得部２４０によって取得されたメタ情報を付与してクライアント端末５０に中継する。
【００７１】
具体的には、メタ情報付与部２５０は、データ送受信部２２０からコンテンツを受け取ると、先にメタ情報取得部２４０から受け取っていたメタ情報を当該コンテンツに付与し、データ送受信部２１０に出力する。
【００７２】
なお、コンテンツにメタ情報を付与する手法として、例えば、コンテンツデータに直接書き込む、コンテンツデータの添付情報として付与する、あるいは、コンテンツ転送に使用されるパケットヘッダやプロトコルヘッダ部分に付与するなどの手法を用いてよい。
【００７３】
最後に、図６を用いて各装置の処理の流れについて説明する。まず、クライアント端末５０は、レジストリサーバ４０宛てにコンテンツ検索要求を送信する（ＭＳＧ１０）。
【００７４】
レジストリサーバ４０は、データ中継装置１００を介して当該コンテンツ検索要求を受信し、クライアント端末５０宛てにコンテンツ検索結果を送信する（ＭＳＧ２０）。
【００７５】
ここで、データ中継装置１００は、当該コンテンツ検索結果をクライアント端末５０に中継する際（ＭＳＧ３０）、メタ情報を抽出してＵＲＩ情報と関連付けて保持する（ステップＳ１１０）。
【００７６】
クライアント端末５０は、データ中継装置１００を介してコンテンツ検索結果を受信すると、リポジトリサーバ６０宛てにコンテンツ取得要求を送信する（ＭＳＧ４０）。
【００７７】
ここで、データ中継装置２００は、当該コンテンツ取得要求をリポジトリサーバ６０に中継する前に、ＵＲＩ情報を抽出して（ステップＳ１２０）データ中継装置１００に送信する（ＭＳＧ５０）。
【００７８】
データ中継装置１００は、データ中継装置２００からＵＲＩ情報を受信すると、保持しているメタ情報の中から当該ＵＲＩ情報に関連付けられたメタ情報を検索する（ステップＳ１３０）。
【００７９】
そして、データ中継装置１００は、検索の結果取得したメタ情報をデータ中継装置２００に送信する（ＭＳＧ６０）。
【００８０】
データ中継装置２００は、データ中継装置１００からメタ情報を受信すると、リポジトリサーバ６０に対してコンテンツ取得要求の中継を行う（ＭＳＧ７０）。
【００８１】
リポジトリサーバ６０は、データ中継装置２００を介してコンテンツ取得要求を受信すると、クライアント端末５０宛てにコンテンツを送信する（ＭＳＧ８０）。
【００８２】
ここで、データ中継装置２００は、当該コンテンツに対し、データ中継装置２００から受信したメタ情報を付与して（ステップＳ１４０）クライアント端末５０に中継する（ＭＳＧ９０）。
【００８３】
上述してきたように、最終的には、データ中継装置２００は、リポジトリサーバ６０からクライアント端末５０へコンテンツを中継する際、当該コンテンツにメタ情報を付与した上で中継する。
【００８４】
したがって、図１で示した医療ネットワークのように、メタ情報と、コンテンツとが独立に保管されている場合でも、当該データ中継装置２００がコンテンツを中継する際、コンテンツに付与したメタ情報と、中継にかかる通信情報（コンテンツの宛先（ＩＰアドレス）、ポート番号、アクセス時刻など）とを記録しておけば、コンテンツの流通状況の管理を厳格に行うことができる。
【００８５】
また、クライアント端末や各サーバからログを採取する必要はないので、かかる装置の不具合による影響でログそのものが採取できないということもないし、ログが改ざんされるという危険性もない。
【００８６】
また、上述した処理を既存のデータ中継装置に行わせればよいので、コンテンツの流通状況の管理を行うためにクライアント端末や各サーバに特別な機能を新たに追加する必要がない。
【００８７】
また、各医療機関のデータ中継装置に記憶された情報を収集して管理することで、コンテンツの流通状況を一元管理するようにしてもよい。
【実施例２】
【００８８】
実施例１では、レジストリサーバ４０の前段に設置されるデータ中継装置１００は、リポジトリサーバ６０の前段に設置されるデータ中継装置２００からメタ情報の取得要求を受け付けた場合に、当該データ中継装置２００にメタ情報を通知するものであった。
【００８９】
実施例２では、メタ情報を通知するタイミングが実施例１と異なり、データ中継装置１００に対応するデータ中継装置３００は、コンテンツ検索結果からメタ情報を抽出した時点で、データ中継装置２００に対応するデータ中継装置４００に通知する。
【００９０】
図７を用いてデータ中継装置３００の概要構成を説明する。同図に示すように、データ中継装置３００は、データ送受信部３１０〜３２０と、メタ情報抽出部３３０と、メタ情報通知部３４０と、を備える。
【００９１】
データ送受信部３１０は、医療機関１０Ａ１〜１０Ａｎ側に対するデータの送受信処理を行う。データ送受信部３２０は、レジストリサーバ４０に対するデータの送受信処理を行う。
【００９２】
メタ情報抽出部３３０は、任意のクライアント端末５０からコンテンツ検索要求を受け付けたレジストリサーバ４０が、当該クライアント端末５０宛てに送信するコンテンツ検索結果を受信した場合に、当該コンテンツ検索結果からメタ情報を抽出する。
【００９３】
具体的には、メタ情報抽出部３３０は、データ送受信部３２０からコンテンツ検索結果を受け取ると、当該コンテンツ検索結果からメタ情報を抽出する。そして、メタ情報抽出部３３０は、抽出したメタ情報については、メタ情報通知部３４０に出力し、コンテンツ検索結果については、データ送受信部３１０に出力する。
【００９４】
メタ情報通知部３４０は、メタ情報抽出部３３０によって抽出されたメタ情報に含まれるＵＲＩ情報により決定した宛先に当該メタ情報を送信する。
【００９５】
具体的には、メタ情報通知部３４０は、メタ情報抽出部３３０からメタ情報を受け取ると、当該メタ情報に含まれるＵＲＩ情報により宛先を決定する。
【００９６】
例えば、メタ情報通知部３４０は、メタ情報抽出部３３０からコンテンツ「Ｘ」に関するメタ情報、コンテンツ「Ｙ」に関するメタ情報およびコンテンツ「Ｚ」に関するメタ情報の、３つのメタ情報を受け取る。
【００９７】
そして、メタ情報通知部３４０は、各メタ情報に含まれるＵＲＩ情報が、「http://site-b.com/data/XXX.JPG」、「http://site-c.com/ref/YYY.JPG」、「http://site-d.com/file/ZZZ.JPG」であった場合には、コンテンツ「Ｘ」に関するメタ情報をsite-b.com宛てに、コンテンツ「Ｙ」に関するメタ情報をsite-c.com宛てに、コンテンツ「Ｚ」に関するメタ情報をsite-d.com宛てに決定する。そして、メタ情報通知部３４０は、各メタ情報を決定した宛先に送信する。
【００９８】
なお、site-c.comなどはＦＱＤＮ表記のアドレスであり、実際にはＤＮＳを用いてsite-c.comに該当するＩＰアドレスに対してメタ情報を送信する。また、メタ情報通知部３４０によりメタ情報が送信される際には、特別なポート番号を使用するようにしてもよい。
【００９９】
次に、図８を用いてデータ中継装置４００の概要構成を説明する。同図に示すように、データ中継装置４００は、データ送受信部４１０〜４２０と、メタ情報登録部４３０と、メタ情報記憶部４４０と、ＵＲＩ抽出部４５０と、メタ情報付与部４６０と、を備える。
【０１００】
データ送受信部４１０は、他の医療機関やレジストリ機関２０側に対するデータの送受信処理を行う。データ送受信部４２０は、リポジトリサーバ６０に対するデータの送受信処理を行う。
【０１０１】
メタ情報登録部４３０は、データ中継装置３００から任意のメタ情報を受信した場合に、当該メタ情報を、当該メタ情報に含まれるＵＲＩ情報に関連付けてメタ情報記憶部４４０に登録する。
【０１０２】
具体的には、メタ情報登録部４３０は、データ送受信部４１０からメタ情報を受け取ると、メタ情報に含まれるＵＲＩ情報をエントリキーとして、当該ＵＲＩ情報にメタ情報を関連付けてメタ情報記憶部４４０に登録する。
【０１０３】
メタ情報記憶部４４０は、メタ情報の登録を受け付けて記憶する。具体例としては、図４に示したとおりであるので説明を省略する。
【０１０４】
ＵＲＩ抽出部４５０は、クライアント端末５０からリポジトリサーバ６０宛てに送信されたコンテンツ取得要求を受信した場合に、当該コンテンツ取得要求からＵＲＩ情報を抽出する。
【０１０５】
具体的には、ＵＲＩ抽出部４５０は、データ送受信部４１０からコンテンツ取得要求を受け取ってＵＲＩ情報を抽出すると、ＵＲＩ情報についてはメタ情報付与部４６０に出力し、コンテンツ取得要求についてはデータ送受信部４２０に出力する。
【０１０６】
メタ情報付与部４６０は、リポジトリサーバ６０がクライアント端末５０宛てに送信したコンテンツを中継する際に、ＵＲＩ抽出部４５０によって抽出されたＵＲＩ情報に関連付けられたメタ情報をメタ情報記憶部４４０から検索し、検索の結果取得したメタ情報を当該コンテンツに付与してクライアント端末５０に中継する。
【０１０７】
具体的には、メタ情報付与部４６０は、まず、ＵＲＩ抽出部４５０からＵＲＩ情報を受け取るので、メタ情報記憶部４４０から当該ＵＲＩ情報に関連付けられたメタ情報を取得する。その後、メタ情報付与部４６０は、データ送受信部４２０からコンテンツを受け取ると、先に取得したメタ情報を当該コンテンツに付与し、データ送受信部４１０に出力する。
【０１０８】
続いて、図９を用いて各装置の処理の流れについて説明する。まず、クライアント端末５０は、レジストリサーバ４０宛てにコンテンツ検索要求を送信する（ＭＳＧ１００）。
【０１０９】
レジストリサーバ４０は、データ中継装置３００を介して当該コンテンツ検索要求を受信し、クライアント端末５０宛てにコンテンツ検索結果を送信する（ＭＳＧ１１０）。
【０１１０】
ここで、データ中継装置３００は、当該コンテンツ検索結果をレジストリサーバ４０から受信すると、メタ情報を抽出し（ステップＳ１５０）、当該メタ情報については、ＵＲＩ情報により決定した宛先への通知を行う（ステップＳ１６０）。この通知により、例えば、データ中継装置４００にメタ情報が送信され（ＭＳＧ１２０）、データ中継装置４００は、ＵＲＩ情報と関連付けて当該メタ情報を保持する（ステップＳ１７０）。
【０１１１】
また、データ中継装置３００は、コンテンツ検索結果については、クライアント端末５０に転送する（ＭＳＧ１３０）。
【０１１２】
クライアント端末５０は、データ中継装置３００を介してコンテンツ検索結果を受信すると、リポジトリサーバ６０宛てにコンテンツ取得要求を送信する（ＭＳＧ１４０）。
【０１１３】
ここで、データ中継装置４００は、当該コンテンツ取得要求からＵＲＩ情報を抽出し（ステップＳ１８０）、当該ＵＲＩ情報に関連付けられたメタ情報をメタ情報記憶部４４０から取得しておく。
【０１１４】
そして、データ中継装置４００は、コンテンツ取得要求をリポジトリサーバ６０に中継する（ＭＳＧ１５０）。
【０１１５】
リポジトリサーバ６０は、データ中継装置４００を介してコンテンツ取得要求を受信すると、クライアント端末５０宛てにコンテンツを送信する（ＭＳＧ１６０）。
【０１１６】
ここで、データ中継装置４００は、当該コンテンツをリポジトリサーバ６０から受信すると、先に取得しておいたメタ情報を付与して（ステップＳ１９０）クライアント端末５０に中継する（ＭＳＧ１７０）。
【０１１７】
上述のように、実施例２では、メタ情報が抽出された時点で各リポジトリサーバ６０の前段に設置されたデータ中継装置４００に、当該メタ情報が配信される。こうすることによって、データ中継装置４００は、レジストリサーバ４０の前段に設置されたデータ中継装置からメタ情報を取得せずに、自装置内から直ちに取得できるので、クライアント端末に対する高速なコンテンツ転送が可能となる。
【実施例３】
【０１１８】
実施例１および実施例２では、機関ごとに設置された複数のデータ中継装置で本発明を実現する場合を説明したが、実施例３では、ネットワーク内に設置された一つのデータ中継装置で本発明を実現する場合を説明する。
【０１１９】
図１０は、実施例３に係るデータ中継装置が設置される医療ネットワークの概要を説明するための図であるが、実施例１および２と同様、医療機関１０Ａ１〜１０Ａｎやレジストリ機関２０の各機関にはコンピュータネットワーク（ＬＡＮやＷＡＮ）が構築されており、各機関同士もネットワーク３０（公衆電話網やインターネット）を介して通信可能に接続される。
【０１２０】
そして、実施例３では、かかるレジストリサーバ４０、クライアント端末５０およびリポジトリサーバ６０は、データを送信する場合には、当該データが必ずネットワーク３０上のデータ中継装置５００を経由する送信経路で送信する。
【０１２１】
これは、例えば、クライアント端末５０のプロキシ設定にて、ネットワーク３０上のデータ中継装置５００のアドレスを指定することで実現できる。
【０１２２】
こうすることによって、クライアント端末５０は、ユーザの操作によりレジストリサーバ４０にコンテンツ検索要求を送信するが、当該コンテンツ検索要求は、データ中継装置５００を経由してレジストリサーバ４０に送信される（Ｒｅｑ３）。
【０１２３】
同様に、レジストリサーバ４０から送信されるコンテンツ検索結果（Ｒｅｓ３）、クライアント端末５０から送信されるコンテンツ取得要求（Ｒｅｑ４）、そして、リポジトリサーバ６０から送信されるコンテンツ（Ｒｅｓ４）は、全てデータ中継装置５００を経由する（Ｒｅｓ４）。当該データ中継装置５００が実施例３に係るデータ中継装置である。
【０１２４】
次に、図１１を用いてデータ中継装置５００の概要構成を説明する。同図に示すように、データ中継装置５００は、データ送受信部５１０〜５２０と、メタ情報抽出部５３０と、メタ情報記憶部５４０と、メタ情報通知部５５０と、ＵＲＩ抽出部５６０と、メタ情報取得部５７０と、メタ情報付与部５８０と、を備える。
【０１２５】
データ送受信部５１０は、医療機関１０Ａ１〜１０Ａｎ側に対するデータの送受信処理を行う。データ送受信部５２０は、レジストリサーバ４０に対するデータの送受信処理を行う。なお、データ送受信部５１０は、受信メッセージ種別を判定し、判定結果により出力先を決定する。
【０１２６】
メタ情報抽出部５３０は、レジストリサーバ４０からクライアント端末５０宛てに送信されたコンテンツ検索結果からメタ情報を抽出し、当該メタ情報を、ＵＲＩ情報に関連付けてメタ情報記憶部５４０に登録する。
【０１２７】
具体的には、メタ情報抽出部５３０は、データ送受信部５２０からコンテンツ検索結果を受け取ると、当該コンテンツ検索結果からメタ情報を抽出する。
【０１２８】
そして、メタ情報抽出部５３０は、抽出したメタ情報については、当該メタ情報に含まれるＵＲＩ情報に関連付けてメタ情報記憶部５４０に登録し、コンテンツ検索結果については、データ送受信部５１０に出力する。
【０１２９】
メタ情報記憶部５４０は、メタ情報の登録を受け付けて記憶する。具体例としては、図４に示したとおりであるので説明を省略する。
【０１３０】
メタ情報通知部５５０は、後述するメタ情報取得部５７０からＵＲＩ情報を受け取ると、当該ＵＲＩ情報に関連付けられたメタ情報をメタ情報記憶部５４０から取得し、メタ情報取得部５７０に出力する。
【０１３１】
ＵＲＩ抽出部５６０は、クライアント端末５０からリポジトリサーバ６０宛てに送信されたコンテンツ取得要求を受信した場合に、当該コンテンツ取得要求からＵＲＩ情報を抽出する。
【０１３２】
具体的には、ＵＲＩ抽出部５６０は、データ送受信部５１０からコンテンツ取得要求を受け取ってＵＲＩ情報を抽出すると、ＵＲＩ情報についてはメタ情報取得部５７０に出力し、コンテンツ取得要求についてはデータ送受信部５１０に出力する。
【０１３３】
メタ情報取得部５７０は、ＵＲＩ抽出部５６０によって抽出されたＵＲＩ情報に関連付けられたメタ情報をメタ情報記憶部５４０から取得する。
【０１３４】
具体的には、メタ情報取得部５７０は、ＵＲＩ抽出部５６０からＵＲＩ情報を受け取ると、メタ情報通知部５５０に出力する。メタ情報通知部５５０からは当該ＵＲＩ情報に関連付けられたメタ情報が返ってくるので、メタ情報取得部５７０は、当該メタ情報をメタ情報付与部５８０に出力する。
【０１３５】
メタ情報付与部５８０は、リポジトリサーバ６０がクライアント端末５０宛てに送信したコンテンツを中継する場合に、当該コンテンツに対し、メタ情報取得部５７０によって取得されたメタ情報を付与してクライアント端末５０に中継する。
【０１３６】
具体的には、メタ情報付与部５８０は、まず、メタ情報取得部５７０からメタ情報を受け取る。その後、データ送受信部５１０からコンテンツを受け取るので、当該コンテンツにメタ情報を付与し、データ送受信部５１０に出力する。
【０１３７】
続いて、図１２を用いて各装置の処理の流れについて説明する。まず、クライアント端末５０は、レジストリサーバ４０宛てにコンテンツ検索要求を送信する（ＭＳＧ１８０）。
【０１３８】
レジストリサーバ４０は、データ中継装置５００を介して当該コンテンツ検索要求を受信し、クライアント端末５０宛てにコンテンツ検索結果を送信する（ＭＳＧ１９０）。
【０１３９】
ここで、データ中継装置５００は、当該コンテンツ検索結果をクライアント端末５０に中継する際（ＭＳＧ２００）、メタ情報を抽出してＵＲＩ情報と関連付けて保持する（ステップＳ２００）。
【０１４０】
クライアント端末５０は、データ中継装置５００を介してコンテンツ検索結果を受信すると、リポジトリサーバ６０宛てにコンテンツ取得要求を送信する（ＭＳＧ２１０）。
【０１４１】
ここで、データ中継装置５００は、当該コンテンツ取得要求からＵＲＩ情報を抽出し（ステップＳ２１０）、当該ＵＲＩ情報に関連付けられたメタ情報をメタ情報記憶部５４０から取得しておく。
【０１４２】
そして、データ中継装置５００は、コンテンツ取得要求をリポジトリサーバ６０に中継する（ＭＳＧ２２０）。
【０１４３】
リポジトリサーバ６０は、データ中継装置５００を介してコンテンツ取得要求を受信すると、クライアント端末５０宛てにコンテンツを送信する（ＭＳＧ２３０）。
【０１４４】
ここで、データ中継装置５００は、当該コンテンツをリポジトリサーバ６０から受信すると、先に取得しておいたメタ情報を付与して（ステップＳ２２０）クライアント端末５０に中継する（ＭＳＧ２４０）。
【０１４５】
なお、図１３に示すように、メタ情報通知部５５０およびメタ情報取得部５７０が、データ送受信部５１０を介して外部と通信可能な状態であれば、実施例１および実施例２のように、レジストリサーバ４０の前段と、リポジトリサーバ６０の前段とに当該データ中継装置５００を設置するようにしてもよい。
【０１４６】
その場合には、例えば、レジストリサーバ４０の前段に設置されたデータ中継装置５００のメタ情報通知部５５０は、データ送受信部５１０からＵＲＩ情報を受け取り、メタ情報記憶部５４０から取得したメタ情報をデータ送受信部５１０に出力する。
【０１４７】
また、リポジトリサーバ６０の前段に設置されたデータ中継装置５００のメタ情報取得部５７０は、データ送受信部５１０にＵＲＩ情報を出力することで、レジストリサーバ４０の前段に設置されたデータ中継装置５００からメタ情報を取得する。
【０１４８】
さらに、実施例３に係るデータ中継装置は、図１４に示すような構成でもよい。同図に示すように、データ中継装置６００は、実施例２で説明したデータ中継装置３００およびデータ中継装置４００の構成要素を１台に備えたものである。
【０１４９】
すなわち、メタ情報抽出部３３０はメタ情報抽出部６３０に対応し、メタ情報通知部３４０はメタ情報通知部６４０に対応し、メタ情報登録部４３０はメタ情報登録部６５０に対応し、メタ情報記憶部４４０はメタ情報記憶部６６０に対応し、ＵＲＩ抽出部４５０はＵＲＩ抽出部６７０に対応し、メタ情報付与部４６０はメタ情報付与部６８０に対応する。
【０１５０】
なお、メタ情報通知部３４０は、外部にメタ情報を通知していたが、データ中継装置６００では、通知先は装置内にあるので、メタ情報通知部６４０は、メタ情報登録部６５０にメタ情報を通知する。
【０１５１】
また、同図に示すように、メタ情報通知部６４０およびメタ情報登録部６５０が、データ送受信部６１０を介して外部と通信可能な状態であれば（点線矢印参照）、実施例１および実施例２のように、レジストリサーバ４０の前段と、リポジトリサーバ６０の前段とに当該データ中継装置６００を設置するようにしてもよい。
【０１５２】
その場合には、レジストリサーバ４０の前段に設置されたデータ中継装置６００のメタ情報通知部６４０は、データ送受信部６１０を介して他のデータ中継装置６００に通知する（Ｄ１）。また、リポジトリサーバ６０の前段に設置されたデータ中継装置６００のメタ情報登録部６５０は、データ送受信部６１０を介してメタ情報を受信する（Ｄ２）。
【０１５３】
最後に、図２、図５、図７、図８、図１１、図１３、図１４に示した各構成要素は機能概念的なものであり、必ずしも物理的に図示の如く構成されていることを要しない。
【０１５４】
すなわち、各装置の分散・統合の具体的形態は図示のものに限られず、例えば、メタ情報抽出部１３０を、メタ情報抽出部と、メタ情報登録部とに分散するなど、その全部または一部を、各種の負荷や使用状況などに応じて、任意の単位で機能的または物理的に分散・統合して構成することができる。
【０１５５】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１５６】
以上の実施例１〜３を含む実施形態に関し、更に以下の付記を開示する。
【０１５７】
（付記１）コンテンツとメタ情報とが、異なるサーバで独立に管理されるネットワークに設置され、前記メタ情報を集中管理するレジストリサーバ宛てのデータを当該レジストリサーバへ中継し、前記レジストリサーバから送信されたデータを当該データの宛先へ中継するデータ中継装置であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手段と、
前記メタ情報抽出手段によって抽出されたメタ情報を、当該メタ情報に含まれる情報であって、コンテンツの所在が一意に定まる所在情報に関連付けてメタ情報記憶手段に登録するメタ情報登録手段と、
外部から、前記所在情報を指定したメタ情報取得要求を受信した場合に、当該所在情報に関連付けられたメタ情報を前記メタ情報記憶手段から検索し、検索の結果取得したメタ情報を要求元に送信するメタ情報送信手段と、
を備えたことを特徴とするデータ中継装置。
【０１５８】
（付記２）コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置であって、
任意のクライアント端末から前記リポジトリサーバ宛てに送信されたコンテンツ取得要求を受信した場合に、当該コンテンツ取得要求からコンテンツの所在が一意に定まる所在情報を抽出する所在情報抽出手段と、
前記所在情報抽出手段によって抽出された所在情報を用いて、前記メタ情報を管理するレジストリサーバと連携するデータ中継装置にメタ情報取得要求を送信し、メタ情報を取得するメタ情報取得手段と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手段によって取得されたメタ情報を付与して前記クライアント端末に中継するコンテンツ送信手段と、
を備えたことを特徴とするデータ中継装置。
【０１５９】
（付記３）コンテンツとメタ情報とが、異なるサーバで独立に管理されるネットワークに設置され、前記メタ情報を管理するレジストリサーバ宛てのデータを当該レジストリサーバへ中継し、前記レジストリサーバから送信されたデータを当該データの宛先へ中継するデータ中継装置であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手段と、
前記メタ情報抽出手段によって抽出されたメタ情報を、当該メタ情報に含まれる情報であって、コンテンツの所在が一意に定まる所在情報で決定される宛先に送信するメタ情報送信手段と、
を備えたことを特徴とするデータ中継装置。
【０１６０】
（付記４）コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置であって、
前記メタ情報を管理するレジストリサーバと連携するデータ中継装置からメタ情報を受信した場合に、当該メタ情報を、当該メタ情報に含まれ、コンテンツの所在が一意に定まる所在情報に関連付けてメタ情報記憶手段に登録するメタ情報登録手段と、
任意のクライアント端末から前記リポジトリサーバ宛てに送信されたコンテンツ取得要求を受信した場合に、当該コンテンツ取得要求から前記所在情報を抽出する所在情報抽出手段と、
前記所在情報抽出手段によって抽出された所在情報に関連付けられたメタ情報を前記メタ情報記憶手段から取得するメタ情報取得手段と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手段によって取得されたメタ情報を付与して前記クライアント端末に中継するコンテンツ中継手段と、
を備えたことを特徴とするデータ中継装置。
【０１６１】
（付記５）コンテンツとメタ情報とが、異なるサーバで独立に管理されるネットワークに設置され、前記メタ情報を集中管理するレジストリサーバ、前記コンテンツを保持するリポジトリサーバおよび各サーバにアクセスする任意のクライアント端末から送信されるデータを当該データの宛先に中継するデータ中継装置であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手段と、
前記メタ情報抽出手段によって抽出されたメタ情報を、当該メタ情報に含まれる情報であって、コンテンツの所在が一意に定まる所在情報に関連付けてメタ情報記憶手段に登録するメタ情報登録手段と、
前記リポジトリサーバ宛てに送信されたコンテンツ取得要求を受信した場合に、当該コンテンツ取得要求から前記所在情報を抽出する所在情報抽出手段と、
前記所在情報抽出手段によって抽出された所在情報に関連付けられたメタ情報を前記メタ情報記憶手段から取得するメタ情報取得手段と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手段によって取得されたメタ情報を付与して前記クライアント端末に中継するコンテンツ送信手段と、
を備えたことを特徴とするデータ中継装置。
【０１６２】
（付記６）外部から、前記所在情報を指定したメタ情報取得要求を受信した場合に、当該所在情報に関連付けられたメタ情報を前記メタ情報記憶手段から検索し、検索の結果取得したメタ情報を要求元に送信するメタ情報送信手段をさらに備え、
前記メタ情報取得手段は、前記所在情報抽出手段によって抽出された所在情報を用いて、前記レジストリサーバと連携するデータ中継装置にメタ情報取得要求を送信し、メタ情報を取得することを特徴とする付記５に記載のデータ中継装置。
【０１６３】
（付記７）前記メタ情報抽出手段によって抽出されたメタ情報を、当該メタ情報に含まれる情報であって、コンテンツの所在が一意に定まる所在情報で決定される宛先に送信するメタ情報送信手段をさらに備え、
前記メタ情報登録手段は、前記レジストリサーバと連携するデータ中継装置からメタ情報を受信した場合に、当該メタ情報を、前記所在情報に関連付けて前記メタ情報記憶手段に登録することを特徴とする付記５に記載のデータ中継装置。
【０１６４】
（付記８）前記コンテンツ送信手段によってコンテンツの中継が行われた際に、当該コンテンツに付与されたメタ情報と、当該中継にかかる通信情報とをログ記憶手段に書き込むログ書込手段をさらに備えたことを特徴とする付記２、４、５、６または７のいずれか一つに記載のデータ中継装置。
【０１６５】
（付記９）前記ログ記憶手段に書き込まれた情報を所定の送信先へ送信するログ送信手段をさらに備えたことを特徴とする付記８に記載のデータ中継装置。
【０１６６】
（付記１０）コンテンツとメタ情報とが、異なるサーバで独立に管理されるネットワークにおいて、前記メタ情報を管理するレジストリサーバとクライアント端末間のデータ中継を行う際のデータ中継方法であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出工程と、
前記メタ情報抽出工程によって抽出されたメタ情報を、当該メタ情報に含まれる情報であって、コンテンツの所在が一意に定まる所在情報に関連付けてメタ情報記憶手段に登録するメタ情報登録工程と、
外部から、前記所在情報を指定したメタ情報取得要求を受信した場合に、当該所在情報に関連付けられたメタ情報を所定の記憶部から検索し、検索の結果取得したメタ情報を要求元に送信するメタ情報送信工程と、
を含んだことを特徴とするデータ中継方法。
【０１６７】
（付記１１）コンテンツとメタ情報とが、異なるサーバで独立に管理されるネットワークにおいて、前記コンテンツを保持するリポジトリサーバとクライアント端末間のデータ中継を行う際のデータ中継方法であって、
任意のクライアント端末から前記リポジトリサーバ宛てに送信されたコンテンツ取得要求を受信した場合に、当該コンテンツ取得要求からコンテンツの所在が一意に定まる所在情報を抽出する所在情報抽出工程と、
前記所在情報抽出工程によって抽出された所在情報を用いて、前記メタ情報を管理するレジストリサーバと連携するデータ中継装置にメタ情報取得要求を送信し、メタ情報を取得するメタ情報取得工程と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得工程によって取得されたメタ情報を付与して前記クライアント端末に中継するコンテンツ送信工程と、
を含んだことを特徴とするデータ中継方法。
【０１６８】
（付記１２）コンテンツとメタ情報とが、異なるサーバで独立に管理されるネットワークにおいて、前記メタ情報を管理するレジストリサーバとクライアント端末間のデータ中継を行う際のデータ中継方法であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出工程と、
前記メタ情報抽出工程によって抽出されたメタ情報を、当該メタ情報に含まれる情報であって、コンテンツの所在が一意に定まる所在情報で決定される宛先に送信するメタ情報送信工程と、
を含んだことを特徴とするデータ中継方法。
【０１６９】
（付記１３）コンテンツとメタ情報とが、異なるサーバで独立に管理されるネットワークにおいて、前記コンテンツを保持するリポジトリサーバとクライアント端末間のデータ中継を行う際のデータ中継方法であって、
前記メタ情報を管理するレジストリサーバと連携するデータ中継装置からメタ情報を受信した場合に、当該メタ情報を、当該メタ情報に含まれ、コンテンツの所在が一意に定まる所在情報に関連付けてメタ情報記憶手段に登録するメタ情報登録工程と、
任意のクライアント端末から前記リポジトリサーバ宛てに送信されたコンテンツ取得要求を受信した場合に、当該コンテンツ取得要求から前記所在情報を抽出する所在情報抽出工程と、
前記所在情報抽出工程によって抽出された所在情報に関連付けられたメタ情報を前記メタ情報記憶手段から取得するメタ情報取得工程と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得工程によって取得されたメタ情報を付与して前記クライアント端末に中継するコンテンツ中継工程と、
を含んだことを特徴とするデータ中継方法。
【０１７０】
（付記１４）コンテンツとメタ情報とが、異なるサーバで独立に管理されるネットワークにおいて、前記メタ情報を管理するレジストリサーバ、前記コンテンツを保持するリポジトリサーバおよび各サーバにアクセスする任意のクライアント端末間のデータ中継を行う際のデータ中継方法であって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出工程と、
前記メタ情報抽出工程によって抽出されたメタ情報を、当該メタ情報に含まれる情報であって、コンテンツの所在が一意に定まる所在情報に関連付けてメタ情報記憶手段に登録するメタ情報登録工程と、
前記リポジトリサーバ宛てに送信されたコンテンツ取得要求を受信した場合に、当該コンテンツ取得要求から前記所在情報を抽出する所在情報抽出工程と、
前記所在情報抽出工程によって抽出された所在情報に関連付けられたメタ情報を前記メタ情報記憶手段から取得するメタ情報取得工程と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得工程によって取得されたメタ情報を付与して前記クライアント端末に中継するコンテンツ送信工程と、
を含んだことを特徴とするデータ中継方法。
【０１７１】
（付記１５）コンテンツとメタ情報とが、異なるサーバで独立に管理されるネットワークに設置され、前記メタ情報を管理するレジストリサーバ宛てのデータを当該レジストリサーバへ中継し、前記レジストリサーバから送信されたデータを当該データの宛先へ中継するデータ中継装置としてのコンピュータに実行させるデータ中継処理プログラムであって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手順と、
前記メタ情報抽出手順によって抽出されたメタ情報を、当該メタ情報に含まれる情報であって、コンテンツの所在が一意に定まる所在情報に関連付けてメタ情報記憶手段に登録するメタ情報登録手順と、
外部から、前記所在情報を指定したメタ情報取得要求を受信した場合に、当該所在情報に関連付けられたメタ情報を前記メタ情報記憶手段から検索し、検索の結果取得したメタ情報を要求元に送信するメタ情報送信手順と、
をコンピュータに実行させることを特徴とするデータ中継処理プログラム。
【０１７２】
（付記１６）コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置としてのコンピュータに実行させるデータ中継処理プログラムであって、
任意のクライアント端末から前記リポジトリサーバ宛てに送信されたコンテンツ取得要求を受信した場合に、当該コンテンツ取得要求からコンテンツの所在が一意に定まる所在情報を抽出する所在情報抽出手順と、
前記所在情報抽出手順によって抽出された所在情報を用いて、前記メタ情報を管理するレジストリサーバと連携するデータ中継装置にメタ情報取得要求を送信し、メタ情報を取得するメタ情報取得手順と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手順によって取得されたメタ情報を付与して前記クライアント端末に中継するコンテンツ送信手順と、
をコンピュータに実行させることを特徴とするデータ中継処理プログラム。
【０１７３】
（付記１７）コンテンツとメタ情報とが、異なるサーバで独立に管理されるネットワークに設置され、前記メタ情報を管理するレジストリサーバ宛てのデータを当該レジストリサーバへ中継し、前記レジストリサーバから送信されたデータを当該データの宛先へ中継するデータ中継装置としてのコンピュータに実行させるデータ中継処理プログラムであって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手順と、
前記メタ情報抽出手順によって抽出されたメタ情報を、当該メタ情報に含まれる情報であって、コンテンツの所在が一意に定まる所在情報で決定される宛先に送信するメタ情報送信手順と、
をコンピュータに実行させることを特徴とするデータ中継処理プログラム。
【０１７４】
（付記１８）コンテンツとメタ情報とが、異なるサーバで独立に管理されるネットワークに設置され、前記コンテンツを保持するリポジトリサーバ宛てのデータを当該リポジトリサーバへ中継し、前記リポジトリサーバから送信されたデータを当該データの宛先へ中継するデータ中継装置としてのコンピュータに実行させるデータ中継処理プログラムであって、
前記メタ情報を管理するレジストリサーバと連携するデータ中継装置からメタ情報を受信した場合に、当該メタ情報を、当該メタ情報に含まれ、コンテンツの所在が一意に定まる所在情報に関連付けてメタ情報記憶手段に登録するメタ情報登録手順と、
任意のクライアント端末から前記リポジトリサーバ宛てに送信されたコンテンツ取得要求を受信した場合に、当該コンテンツ取得要求から前記所在情報を抽出する所在情報抽出手順と、
前記所在情報抽出手順によって抽出された所在情報に関連付けられたメタ情報を前記メタ情報記憶手段から取得するメタ情報取得手順と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手順によって取得されたメタ情報を付与して前記クライアント端末に中継するコンテンツ中継手順と、
をコンピュータに実行させることを特徴とするデータ中継処理プログラム。
【０１７５】
（付記１９）コンテンツとメタ情報とが、異なるサーバで独立に管理されるネットワークに設置され、前記メタ情報を管理するレジストリサーバ、前記コンテンツを保持するリポジトリサーバおよび各サーバにアクセスする任意のクライアント端末から送信されるデータを当該データの宛先に中継するデータ中継装置としてのコンピュータに実行させるデータ中継処理プログラムであって、
任意のクライアント端末からコンテンツ検索要求を受け付けた前記レジストリサーバが当該クライアント端末宛てに送信するコンテンツ検索結果を受信した場合に、当該コンテンツ検索結果からメタ情報を抽出するメタ情報抽出手順と、
前記メタ情報抽出手順によって抽出されたメタ情報を、当該メタ情報に含まれる情報であって、コンテンツの所在が一意に定まる所在情報に関連付けてメタ情報記憶手段に登録するメタ情報登録手順と、
前記リポジトリサーバ宛てに送信されたコンテンツ取得要求を受信した場合に、当該コンテンツ取得要求から前記所在情報を抽出する所在情報抽出手順と、
前記所在情報抽出手順によって抽出された所在情報に関連付けられたメタ情報を前記メタ情報記憶手段から取得するメタ情報取得手順と、
前記コンテンツ取得要求を受け付けた前記リポジトリサーバが当該コンテンツ取得要求を送信したクライアント端末宛てに送信するコンテンツを受信した場合に、当該コンテンツに対し、前記メタ情報取得手順によって取得されたメタ情報を付与して前記クライアント端末に中継するコンテンツ送信手順と、
をコンピュータに実行させることを特徴とするデータ中継処理プログラム。
【図面の簡単な説明】
【０１７６】
【図１】実施例１に係るデータ中継装置が設置される医療ネットワークの概要を説明するための図である。
【図２】データ中継装置１００の概要構成を示すブロック図である。
【図３】コンテンツ検索結果の情報の一例を示す図である。
【図４】メタ情報記憶部１４０が記憶する情報の例を示す図である。
【図５】データ中継装置２００の概要構成を示すブロック図である。
【図６】実施例１の各装置における処理の概要を示すシーケンス図である。
【図７】データ中継装置３００の概要構成を示すブロック図である。
【図８】データ中継装置４００の概要構成を示すブロック図である。
【図９】実施例２の各装置における処理の概要を示すシーケンス図である。
【図１０】実施例３に係るデータ中継装置が設置される医療ネットワークの概要を説明するための図である。
【図１１】データ中継装置５００の概要構成を示すブロック図である。
【図１２】実施例３の各装置における処理の概要を示すシーケンス図である。
【図１３】実施例３に係るデータ中継装置の変形例を説明するための図である。
【図１４】実施例３に係るデータ中継装置の変形例を説明するための図である。
【図１５】第１の従来技術を説明するための図である。
【図１６】第２の従来技術を説明するための図である。
【図１７】ＸＤＳを説明するための図である。
【符号の説明】
【０１７７】
１０Ａ１〜１０Ａｎ  医療機関
２０  レジストリ機関
３０  ネットワーク
４０  レジストリサーバ
５０  クライアント端末
６０  リポジトリサーバ
１００、２００、３００、４００、５００、６００  データ中継装置
１１０、１２０、２１０、２２０、３１０、３２０、４１０、４２０、５１０、５２０  データ送受信部
１３０、３３０、５３０、６３０  メタ情報抽出部
１４０、４４０、５４０、６６０  メタ情報記憶部
１５０、３４０、５５０、６４０  メタ情報通知部
２３０、４５０、５６０、６７０  ＵＲＩ抽出部
２４０、５７０  メタ情報取得部
２５０、４６０、５８０、６８０  メタ情報付与部
４３０、６５０  メタ情報登録部
【図１】
0004905388.tif 000002
【図２】
0004905388.tif 000003
【図３】
0004905388.tif 000004
【図４】
0004905388.tif 000005
【図５】
0004905388.tif 000006
【図６】
0004905388.tif 000007
【図７】
0004905388.tif 000008
【図８】
0004905388.tif 000009
【図９】
0004905388.tif 000010
【図１０】
0004905388.tif 000011
【図１１】
0004905388.tif 000012
【図１２】
0004905388.tif 000013
【図１３】
0004905388.tif 000014
【図１４】
0004905388.tif 000015
【図１５】
0004905388.tif 000016
【図１６】
0004905388.tif 000017
【図１７】
0004905388.tif 000018